(57)【要約】【課題】外観上の区別が多少難しい電線であってもワイヤハーネスへの組み付けの誤りを検出することが可能なワイヤハーネスの導通検査装置を提供すること。【解決手段】導通検査装置１は、第１端子１０Ｂが一端に接続され第１端子１０Ｂとの接続箇所１３が絶縁部材１５で覆われた第１電線ｗｂと、第２端子１０Ａが一端に接続され第２端子１０Ａとの接続箇所１３が露出した第２電線ｗａと、を備えたワイヤハーネスＷＨに対して導通検査を行う。導通検査装置１は、第１、第２端子１０Ｂ，１０Ａの双方を保持可能な形状を有する保持部２１と、第１電線ｗｂの保持時には絶縁部材１５が接触点となり且つ第２電線ｗａの保持時には露出した接続箇所１３が接触点となる位置、に設けられた検査接点部２３と、検査接点部２３と第１、第２電線ｗａ，ｗｂの他端と、の間の導通の有無を判定可能な検査部３０と、を備える。【選択図】図２
2019100953.tif 000002
【特許請求の範囲】
【請求項１】
第１端子と、前記第１端子が一端に接続されると共に前記第１端子との接続箇所が絶縁部材によって覆われた第１電線と、第２端子と、前記第２端子が一端に接続されると共に前記第２端子との接続箇所が露出した第２電線と、を有するワイヤハーネスに対して導通検査を行う、導通検査装置であって、
前記第１端子及び前記第２端子の双方を保持可能な形状を有する保持部と、
前記保持部に前記第１電線が保持された場合には前記絶縁部材が接触点となり、且つ、前記保持部に前記第２電線が保持された場合には露出した前記接続箇所が接触点となる位置、に設けられた検査接点部と、
前記検査接点部と、前記第１電線の他端及び前記第２電線の他端と、の間が導通しているか否かを判定可能な検査部と、を備えた、
ワイヤハーネスの導通検査装置。
【請求項２】
請求項１に記載の導通検査装置において、
前記第１端子及び前記第２端子は、アース端子である、
ワイヤハーネスの導通検査装置。
【請求項３】
請求項１又は請求項２に記載の導通検査装置において、
前記保持部は、
前記接触点と前記検査接点部とが接触した状態を維持するように前記接触点と前記検査接点部との間の相対的移動を抑制する、ように構成された、
ワイヤハーネスの導通検査装置。
【発明の詳細な説明】
【技術分野】
【０００１】
本発明は、ワイヤハーネスを構成する電線等が導通しているか否かを判定するための導通検査装置、に関する。
【背景技術】
【０００２】
従来から、車両等に用いられるワイヤハーネスは、電線を所定長さに切断してその端末に端子を圧着した後、コネクタへの端子の挿入、複数の電線の結束、並びに、防水用グロメット及びプロテクタ等の取り付け等の処理を行ってサブハーネスを形成し、複数のサブハーネスを一纏めに組み付けることによって製造される。更に、このように製造されたワイヤハーネスに対し、電線の導通検査などの各種の検査が行われる。
【０００３】
例えば、従来のワイヤハーネスの検査装置の一つは、ワイヤハーネスを製造するための作業台（いわゆる治具板）上にある製造途中のワイヤハーネスに対し、電線の導通検査用コネクタを直接接続し、電線の導通検査を行うようになっている（例えば、特許文献１を参照。）。
【先行技術文献】
【特許文献】
【０００４】
【特許文献１】特開２００１−００１２２１号公報
【発明の概要】
【発明が解決しようとする課題】
【０００５】
ワイヤハーネスには、端子（例えば、アース端子）が端末部に取り付けられた電線が含まれる場合がある。更に、この種の電線には、取り付けられている端子の外観が類似している又は同一である一方で、端子と電線との接続箇所が露出しているか又は防水等を目的とした絶縁材料（例えば、熱収縮チューブ）によって覆われているかの点で異なる電線が、含まれる場合がある。このように端子の外観が類似または同一の電線を複数用いてワイヤハーネスを製造する際、外観上で電線の区別が多少難しいことから、所定箇所に本来組み付けるべき電線（例えば、接続箇所が露出している電線）とは異なる電線（例えば、接続箇所が覆われている電線）が、その所定箇所に誤って組み付けられる可能性がある。
【０００６】
ところが、仮にそのように誤った組み付けがなされた場合であっても、双方の電線の相違点は絶縁材料（熱収縮チューブ）の有無のみであり、電線の導通には相違がないため、通常の導通検査では組み付けの誤りを検出することが困難である。しかし、電線の組付けの誤りをより精度良く検出してワイヤハーネスの品質を向上させる等の観点から、外観上の区別が多少難しい電線を用いる場合であっても、導通検査を通じて組み付けの誤りを出来る限り確実に検出できることが望ましい。
【０００７】
本発明は、上述した事情に鑑みてなされたものであり、その目的は、外観上の区別が多少難しい電線を用いる場合であってもワイヤハーネスへの誤った組み付けを検出することが可能なワイヤハーネスの導通検査装置、を提供することにある。
【課題を解決するための手段】
【０００８】
前述した目的を達成するために、本発明に係るワイヤハーネスの導通検査装置は、下記（１）〜（３）を特徴としている。
（１）
第１端子と、前記第１端子が一端に接続されると共に前記第１端子との接続箇所が絶縁部材によって覆われた第１電線と、第２端子と、前記第２端子が一端に接続されると共に前記第２端子との接続箇所が露出した第２電線と、を有するワイヤハーネスに対して導通検査を行う、導通検査装置であって、
前記第１端子及び前記第２端子の双方を保持可能な形状を有する保持部と、
前記保持部に前記第１電線が保持された場合には前記絶縁部材が接触点となり、且つ、前記保持部に前記第２電線が保持された場合には露出した前記接続箇所が接触点となる位置、に設けられた検査接点部と、
前記検査接点部と、前記第１電線の他端及び前記第２電線の他端と、の間が導通しているか否かを判定可能な検査部と、を備えた、
ワイヤハーネスの導通検査装置であること。
（２）
上記（１）に記載の導通検査装置において、
前記第１端子及び前記第２端子は、アース端子である、
ワイヤハーネスの導通検査装置であること。
（３）
上記（１）又は上記（２）に記載の導通検査装置において、
前記保持部は、
前記接触点と前記検査接点部とが接触した状態を維持するように前記接触点と前記検査接点部との間の相対的移動を抑制する、ように構成された、
ワイヤハーネスの導通検査装置であること。
【０００９】
上記（１）の構成の導通検査装置によれば、仮に第１端子および第２端子の外観が類似または同一であり、且つ、双方の電線の相違点が端子と電線との接続箇所を覆う絶縁部材の有無のみであっても、導通検査装置の検査接点部がこの接続箇所に対応する部分（接触点）に限って接触する位置に設けられているため、組み付けの誤りを検出することができる。具体的には、例えば、本来は接続箇所が露出している電線（設計通りの電線）が組み付けられるべき場所に接続箇所が絶縁部材に覆われた電線（設計とは異なる電線）が組み付けられた場合、絶縁部材が接触点となるために正常な導通がなされず（導通不可となり）、導通検査において組み付けの誤りを検出できることになる。
【００１０】
したがって、本構成の導通検査装置によれば、外観上の区別が多少難しい電線を用いる場合であってもワイヤハーネスへの誤った組み付けを検出することが可能である。
【００１１】
上記（２）の構成の導通検査装置によれば、ワイヤハーネスに用いられる各種の端子の中でも特に外観が類似する傾向があるアース端子（例えば、一般に用いられるメガネ端子）が取り付けられた電線に対し、導通検査において組み付けの誤りを検出できる。
【００１２】
上記（３）の構成の導通検査装置によれば、導通検査の際、端子の接触点と検査接点部とが接触した状態を維持するように、保持部が双方の相対的移動を抑制する。具体的には、例えば、端子を収容可能な溝を保持部に設け、この溝に端子を嵌め込むことにより、接触点と検査接点部との相対的移動を抑制する。これにより、導通検査の際に端子の接触点と検査接点部とが意図せず離れる（意図せず導通不可となる）ことによる誤検出を抑制できる。
【発明の効果】
【００１３】
本発明によれば、外観上の区別が多少難しい電線であってもワイヤハーネスへの組み付けの誤りを検出することが可能なワイヤハーネスの導通検査装置、を提供できる。
【００１４】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１５】
【図１】図１は、本発明の実施形態に係るワイヤハーネスの導通検査装置によって導通検査が行われるワイヤハーネスの模式図である。
【図２】図２は、本発明の実施形態に係るワイヤハーネスの導通検査装置の模式図であり、図２（ａ）は、アース端子と電線との接続箇所が露出している電線についてその導通検査装置を用いて導通検査を行う場合を示し、図２（ｂ）は、アース端子と電線との接続箇所が絶縁性チューブによって覆われている電線についてその導通検査装置を用いて導通検査を行う場合を示す。
【図３】図３は、本発明の他の実施形態に係るワイヤハーネスの導通検査装置の模式図である。
【発明を実施するための形態】
【００１６】
＜実施形態＞
以下、図面を参照しながら、本発明の実施形態に係る導通検査装置１について説明する。
【００１７】
図１は、この導通検査装置１によって導通検査が行われるワイヤハーネスＷＨの一例を示す。図１に示すワイヤハーネスＷＨは、複数本の電線ｗが束ねられると共にコルゲートチューブＣＴが組み付けられた電線束である。本例では、各電線ｗの各端部には、コネクタＣ、アース端子１０Ａ、又は、アース端子１０Ｂが接続されている。複数のコネクタＣの形態は、同一であっても異なっていてもよい。以下、説明の便宜上、アース端子１０Ａが一端に接続される電線ｗを特に「電線ｗａ」と呼び、アース端子１０Ｂが一端に接続される電線ｗを特に「電線ｗｂ」と呼ぶこともある。
【００１８】
図２（ａ）及び図２（ｂ）に示すように、金属製のアース端子１０Ａ，１０Ｂの各々は、環状の平板部１１と、平板部１１に設けられた貫通孔１２と、電線ｗの一端部に対して電気的に接続されるように加締め固定される接続箇所１３と、平板部１１及び接続箇所１３を繋ぐ連結部１４と、を共通して備える。接続箇所１３は、典型的には、電線ｗを覆うように加締められた一対の加締め片である。
【００１９】
よって、アース端子１０Ａ，１０Ｂの外観そのものは同一である。ただし、図２（ａ）に示すように、アース端子１０Ａが一端に接続される電線ｗａの接続箇所１３は、外部に露出しており、一方、図２（ｂ）に示すように、アース端子１０Ｂが一端に接続される電線ｗｂの接続箇所１３は、防水等を目的とした絶縁性チューブ１５によって覆われている。絶縁性チューブ１５としては、典型的には、熱収縮チューブが採用され得る。
【００２０】
即ち、電線ｗａ，ｗｂの相違点は、絶縁性チューブ１５の有無のみである。よって、電線ｗａ，ｗｂは、外観上での区別が比較的困難であるので、両者が誤って組み付けられる可能性がある。このように、導通検査装置１によって導通検査が行われるワイヤハーネスＷＨには、取り付けられている端子の外観が同一である一方で端子と電線との接続箇所における絶縁性チューブの有無のみが異なる、外観上での区別が比較的困難な複数の電線が含まれている。なお、外観上での区別が比較的困難である限りにおいて、取り付けられている端子の外観が同一ではなく類似している複数の電線がワイヤハーネスＷＨに含まれていてもよい。
【００２１】
導通検査装置１は、図１に示すワイヤハーネスＷＨについて、ワイヤハーネスＷＨを構成する複数の電線ｗのうちの電線ｗａ，ｗｂ（即ち、端子と電線との接続箇所における絶縁性チューブの有無が異なる、外観上での区別が比較的困難な複数の電線）が導通しているか否かを判定する。以下、アース端子１０Ａ，１０Ｂを区別する必要がない限りにおいて、アース端子１０Ａ，１０Ｂを単に「アース端子１０」と呼ぶこともある。
【００２２】
図２に示すように、導通検査装置１は、導通検査用治具２０と、検査器３０と、を備える。導通検査用治具２０は、電線ｗが接続されたアース端子１０を載せ置くための樹脂製の治具板２１を有する。本例では、治具板２１は直方体状の形状を有している。治具板２１の上面（平面）は、載せ置いたアース端子１０Ａ，１０Ｂを保持可能な大きさを有している。
【００２３】
治具板２１の上面の第１所定位置には、樹脂製のピン２２が、上方に突出するように設けられている。ピン２２にアース端子１０の貫通孔１２が挿入されることで、治具板２１上に載置されているアース端子１０の位置ずれが抑制され得る。
【００２４】
治具板２１の上面におけるピン２２が設けられた第１所定位置とは異なる第２所定位置には、金属製の検査接点部２３が設けられている。本例では、検査接点部２３は、矩形状の金属板である。検査接点部２３は、治具板２１の上面上に固定されていても、上方に露出するように治具板２１の上部に埋め込まれていてもよい。
【００２５】
検査接点部２３は、電線ｗが接続されたアース端子１０の貫通孔１２がピン２２に挿入されてアース端子１０が治具板２１の上面に所定の向きに載置された状態において、アース端子１０Ａが載置された場合には露出している接続箇所１３が接触点となり、アース端子１０Ｂが載置された場合には接続箇所１３を覆う絶縁性チューブ１５が接触点となる位置、に設けられている。
【００２６】
本例では、アース端子１０Ａ，１０Ｂの何れが治具板２１の上面に載置された場合であっても、上記「接触点」以外の箇所は、検査接点部２３に接触しないようになっている。換言すれば、電線ｗａが接続されたアース端子１０Ａが治具板２１の上面に載置された場合、接触点である接続箇所１３のみが検査接点部２３に接触し、電線ｗｂが接続されたアース端子１０Ｂが治具板２１の上面に載置された場合、接触点である絶縁性チューブ１５のみが検査接点部２３に接触するようになっている。
【００２７】
検査器３０は、治具板２１上に載置されたアース端子１０が一端に接続された電線ｗの導通検査を行う機器である。検査器３０は、検査接点部２３と導通接続されて治具板２１（導通検査用治具２０）から延出する配線ｗ１、及び、電線ｗの他端（アース端子１０が接続された端とは逆の端）と導通接続されて電線ｗの他端から延出する配線ｗ２、と電気的に接続されている。このため、検査器３０は、検査接点部２３と、治具板２１上に載置されたアース端子１０が一端に接続された電線ｗの他端と、の間の導通の有無を判定できるようになっている。なお、検査器３０としては、導通検査機能を備えた一般の機器を用いればよく、その内部の具体的な構成については説明を省略する。
【００２８】
以上の構成を有する導通検査装置１では、導通検査を通じてワイヤハーネスＷＨにおける電線ｗａ，ｗｂの組み付けの誤りを検出することができる。以下、この点について説明する。
【００２９】
まず、ワイヤハーネスＷＨにおいて電線ｗａが本来組み付けられるべき場所に実際に組み付けられている電線ｗに対して、その電線ｗに接続されているアース端子１０を治具板２１上に載置して、導通検査装置１によってその電線ｗについての導通検査を行う場合について説明する。
【００３０】
電線ｗａが本来組み付けられるべき場所に実際に組み付けられている電線ｗが電線ｗａである場合（組み付けの誤りが無い場合）、アース端子１０Ａが治具板２１上に載置された状態で、検査接点部２３には、接続箇所１３のみが接触する。即ち、検査接点部２３と接続箇所１３とが導通接続される。よって、検査器３０は、検査接点部２３と、治具板２１上に載置されたアース端子１０に接続された電線ｗ（即ち、電線ｗａ）の他端と、の間の導通「有」と判定する。
【００３１】
これに対し、本来は電線ｗａが組み付けられるべき場所に実際に組み付けられている電線ｗが電線ｗｂである場合（組み付けの誤りが有る場合）、アース端子１０Ｂが治具板２１上に載置された状態で、検査接点部２３には、接続箇所１３を覆う絶縁製チューブ１５のみが接触する。即ち、検査接点部２３と絶縁性チューブ１５とは導通接続されない。よって、検査器３０は、検査接点部２３と、治具板２１上に載置されたアース端子１０に接続された電線ｗ（即ち、電線ｗｂ）の他端と、の間の導通「無」と判定する。
【００３２】
以上のことから、電線ｗａが本来組み付けられるべき場所に実際に組み付けられている電線ｗに対して導通検査装置１によって導通検査を行うことで、導通「有」の場合には組み付けの誤り「無」と判定し、導通「無」の場合には組み付けの誤り「有」と判定することができる。
【００３３】
次いで、ワイヤハーネスＷＨにおいて電線ｗｂが本来組み付けられるべき場所に実際に組み付けられている電線ｗに対して、その電線ｗに接続されているアース端子１０を治具板２１上に載置して、導通検査装置１によってその電線ｗについての導通検査を行う場合について説明する。
【００３４】
電線ｗｂが本来組み付けられるべき場所に実際に組み付けられている電線ｗが電線ｗｂである場合（組み付けの誤りが無い場合）、検査器３０は、検査接点部２３と、治具板２１上に載置されたアース端子１０に接続された電線ｗ（即ち、電線ｗｂ）の他端と、の間の導通「無」と判定する。
【００３５】
一方、本来は電線ｗｂが組み付けられるべき場所に実際に組み付けられている電線ｗが電線ｗａである場合（組み付けの誤りが有る場合）、検査器３０は、検査接点部２３と、治具板２１上に載置されたアース端子１０に接続された電線ｗ（即ち、電線ｗａ）の他端と、の間の導通「有」と判定する。
【００３６】
以上のことから、電線ｗｂが本来組み付けられるべき場所に実際に組み付けられている電線ｗに対して導通検査装置１によって導通検査を行うことで、導通「有」の場合には組み付けの誤り「有」と判定し、導通「無」の場合には組み付けの誤り「無」と判定することができる。
【００３７】
以上のように、導通検査装置１では、導通検査を通じてワイヤハーネスＷＨにおける電線ｗａ，ｗｂの組み付けの誤りを検出することができる。
【００３８】
以上に説明したように、本実施形態に係る導通検査装置１によれば、ワイヤハーネスＷＨに含まれる電線ｗａ，ｗｂについて、接続されているアース端子１０の外観が類似または同一であり、両者の相違がアース端子１０と電線ｗとの接続箇所１３を覆う絶縁性チューブ１５の有無のみであっても、導通検査装置１の検査接点部２３がこの接続箇所１３に限って接触する位置に設けられているため、電線ｗａ，ｗｂについての誤った組み付けを検出することができる。
【００３９】
具体的には、本来は接続箇所１３が露出している電線ｗａ（設計通りの電線）が組み付けられるべき場所に接続箇所１３が絶縁性チューブ１５に覆われた電線ｗｂ（設計とは異なる電線）が組み付けられた場合、絶縁性チューブ１５のために正常に導通がなされず、導通検査において組み付けの誤りを検出することができる。
【００４０】
したがって、本構成の導通検査装置１によれば、外観上の区別が難しい電線ｗａ，ｗｂであってもワイヤハーネスＷＨへの組み付けの誤りを検出することが可能である。
【００４１】
＜他の態様＞
なお、本発明は上記各実施形態に限定されることはなく、本発明の範囲内において種々の変形例を採用できる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４２】
例えば、上記実施形態では、治具板２１の平面である上面からピン２２が突出すると共にこの上面に検査接点部２３が設けられ、この上面にアース端子１０が載置されるように構成されている（図２を参照）。これに対し、図３に示すように、治具板２１の上面に、アース端子１０の輪郭形状に対応する輪郭形状を有する溝２４が凹設され、溝２４の底面におけるアース端子１０の貫通孔１２に対応する位置からピン２２が突出され、且つ、溝２４の底面におけるアース端子１０の接続箇所１３に対応する位置に検査接点部２３が設けられていてもよい。
【００４３】
図３に示す治具板２１が採用される場合、導通検査の際、アース端子１０が溝２４に嵌め込まれ、アース端子１０が溝２４の底面に載置された状態で、上述した導通検査が行われる。このため、上記実施形態と比べ、導通検査の際、アース端子１０の接触点（具体的には、接続箇所１３又は絶縁性チューブ１５）と検査接点部２３とが接触した状態を維持するように、溝２４の側面がアース端子１０の接触点と検査接点部２３との相対的移動が抑制される。これにより、導通検査の際、アース端子１０の接触点と検査接点部２３とが離れることによる誤検出を抑制できる。
【００４４】
更に、上記実施形態では、治具板２１上のピン２２にアース端子１０の貫通孔１２が挿入されることで、治具板２１上に載置されている端子の位置ずれが抑制されるように構成されている。これに対し、図示は省略するが、治具板２１に設けられた第１係止部とアース端子１０に設けられた第２係止部とが互いに係止されることで、治具板２１上に載置されているアース端子１０の位置ずれが抑制されるように構成されてもよい。本構成の場合、貫通孔１２を有するアース端子１０（いわゆるメガネ端子）ではなく、貫通孔を有さない他の端子が採用されてもよい。
【００４５】
ここで、上述した本発明に係る導通検査装置１の実施形態の特徴を以下（１）〜（３）に簡潔に纏めて列記する。
（１）
第１端子（１０Ｂ）と、前記第１端子（１０Ｂ）が一端に接続されると共に前記第１端子（１０Ｂ）との接続箇所（１３）が絶縁部材（１５）によって覆われた第１電線（ｗｂ）と、第２端子（１０Ａ）と、前記第２端子（１０Ａ）が一端に接続されると共に前記第２端子（１０Ａ）との接続箇所（１３）が露出した第２電線（ｗａ）とを有するワイヤハーネス（ＷＨ）に対して導通検査を行う、導通検査装置（１）であって、
前記第１端子（１０Ｂ）及び前記第２端子（１０Ａ）の双方を保持可能な形状を有する保持部（２１）と、
前記保持部（２１）に前記第１電線（ｗｂ）が保持された場合には前記絶縁部材（１５）が接触点となり、且つ、前記保持部（２１）に前記第２電線（ｗａ）が保持された場合には露出した前記接続箇所（１３）が接触点となる位置、に設けられた検査接点部（２３）と、
前記検査接点部（２３）と、前記第１電線（ｗｂ）の他端及び前記第２電線（ｗａ）の他端と、の間が導通しているか否かを判定可能な検査部（３０）と、を備えた、
ワイヤハーネスの導通検査装置。
（２）
上記（１）に記載の導通検査装置（１）において、
前記第１端子（１０Ｂ）及び前記第２端子（１０Ａ）は、アース端子である、
ワイヤハーネスの導通検査装置。
（３）
上記（１）又は上記（２）に記載の導通検査装置（１）において、
前記保持部（２１）は、
前記接触点（１５，１３）と前記検査接点部（２３）とが接触した状態を維持するように前記接触点（１５，１３）と前記検査接点部（２３）との間の相対的移動を抑制する、ように構成された、
ワイヤハーネスの導通検査装置。
【符号の説明】
【００４６】
１      導通検査装置
１０Ａ  アース端子（第２端子）
１０Ｂ  アース端子（第１端子）
１３    接続箇所
１５    絶縁性チューブ（絶縁部材）
２１    治具板（保持部）
２３    検査接点部
３０    検査器（検査部）
ＷＨ      ワイヤハーネス
ｗａ    電線（第２電線）
ｗｂ    電線（第１電線）
【図１】
2019100953.tif 000003
【図２】
2019100953.tif 000004
【図３】
2019100953.tif 000005